(57)【特許請求の範囲】
【請求項１】
遊技球が補給及び排出される複数の遊技機が列状に並んで配置された遊技機列を備える遊技機島であって、
相互に隣り合った遊技機間に配置され且つ、遊技球を貯留する少なくとも一つの台間貯留部と、
台間貯留部の底面として形成され且つ、遊技球を台間貯留部外に排出する開放口を有した底面材と、
底面材に形成された開放口の下方に配置され且つ、遊技機及び台間貯留部から排出された遊技球を搬送可能な下部搬送路と、
台間貯留部と下部搬送路との間に配置され且つ、必要時に台間貯留部からの遊技球の排出を可能とする下部開閉装置と、
を有し、
複数の遊技機を並べて配列した遊技機列を、遊技機の裏面側が相互に対向するよう２列に配置し、
２列の遊技機列間に跨るように台間貯留部が配置されている遊技機島。
【請求項２】
下部開閉装置が、台間貯留部と下部搬送路との間の遊技球が通過する通路を開閉する下側開閉部材及び、この下側開閉部材を開閉動作する下部アクチュエータを有する請求項１記載の遊技機島。
【請求項３】
下部搬送路が遊技機及び台間貯留部の下部側に配置される請求項１或いは請求項２に記載の遊技機島。
【請求項４】
遊技球が補給及び排出される複数の遊技機が列状に並んで配置された遊技機列を備える遊技機島であって、
相互に隣り合った遊技機間に配置され且つ、遊技球を貯留する少なくとも一つの台間貯留部と、
台間貯留部の上部に配置され且つ、遊技球を搬送して遊技機及び台間貯留部に補給し得る上部搬送路と、
上部搬送路と台間貯留部との間に配置され且つ、上部搬送路から遊技球を台間貯留部に送り込む導入管と、
上部搬送路と導入管との間に配置され且つ、必要時に上部搬送路からの遊技球の台間貯留部への補給を可能とする上部開閉装置と、
を有し、
複数の遊技機を並べて配列した遊技機列を、遊技機の裏面側が相互に対向するよう２列に配置し、
２列の遊技機列間に跨るように台間貯留部が配置されている遊技機島。
【請求項５】
上部開閉装置が、上部搬送路と台間貯留部との間の遊技球が通過する通路を開閉する上側開閉部材及び、この上側開閉部材を開閉動作する上部アクチュエータを有する請求項４記載の遊技機島。
【請求項６】
上部搬送路が遊技機及び台間貯留部の上部側に配置される請求項４或いは請求項５に記載の遊技機島。
【発明の詳細な説明】
【技術分野】
【０００１】
本発明は、遊技球を貯留する台間貯留部を遊技機間に配置するだけでなく、この台間貯留部からの遊技機への遊技球の確実な供給をし得ると共に、この台間貯留部への遊技球の確実な貯留をし得る遊技機島に関する。
【背景技術】
【０００２】
複数の遊技機を一纏めに並べて配置した従来から存在する遊技機島においては、パチンコ玉である遊技球を貯留する貯留部が遊技機の上側や下記特許文献１、２に示されるように遊技機の下側に設けられているのが、遊技機の上下のスペースを有効に活用するという観点から、一般的であった。
【特許文献１】特開平８−１９６７２３号公報
【特許文献２】特開平１０−５７５８５号公報
【発明の開示】
【発明が解決しようとする課題】
【０００３】
しかしながら、遊技球の貯留部を遊技機の上下に備えた構造の遊技機島においては、貯留部のメンテナンスや修理などを行う場合、作業者が遊技機の上側に登ったり、或いは遊技機の下側にもぐり込こんだりしなければならず、作業性が低いという問題点があった。
【０００４】
他方、貯留部を遊技機の上下に備えた構造と異なって貯留部を遊技機間に備えた構造にすることも考えられるが、この場合には、遊技機と貯留部とが並列的に配置されることなる結果、これら遊技機と貯留部との間の位置関係から、貯留部から遊技球を送り出して遊技機側に確実に搬送し、或いは遊技機から排出された遊技球を搬送して貯留部側に確実に送り込む構造を簡素に作り出すことが困難であった。
【０００５】
本発明は上記事実を考慮し、遊技球を貯留する台間貯留部を遊技機間に配置するだけでなく、この台間貯留部からの遊技機への遊技球の確実な供給をし得ると共に、この台間貯留部への遊技球の確実な貯留をし得る遊技機島を提供することが目的である。
【課題を解決するための手段】
【０００６】
請求項１に係る遊技機島は、遊技球が補給及び排出される複数の遊技機が列状に並んで配置された遊技機列を備える遊技機島であって、
相互に隣り合った遊技機間に配置され且つ、遊技球を貯留する少なくとも一つの台間貯留部と、
台間貯留部の底面として形成され且つ、遊技球を台間貯留部外に排出する開放口を有した底面材と、
底面材に形成された開放口の下方に配置され且つ、遊技機及び台間貯留部から排出された遊技球を搬送可能な下部搬送路と、
台間貯留部と下部搬送路との間に配置され且つ、必要時に台間貯留部からの遊技球の排出を可能とする下部開閉装置と、
を有し、
複数の遊技機を並べて配列した遊技機列を、遊技機の裏面側が相互に対向するよう２列に配置し、
２列の遊技機列間に跨るように台間貯留部が配置されている。
【０００７】
請求項１に係る遊技機島の作用を以下に説明する。
本請求項に係る遊技機島は、遊技球が補給及び排出される複数の遊技機が列状に並んで配置された遊技機列を備えていて、相互に隣り合った遊技機間に遊技球を貯留する少なくとも一つの台間貯留部が配置されている。
【０００８】
また、遊技球を台間貯留部外に排出する開放口を有した底面材が、台間貯留部の底面として形成されていて、遊技機及び台間貯留部から排出された遊技球を搬送可能な下部搬送路が、この開放口の下方に配置されている。但し、台間貯留部と下部搬送路との間に配置された下部開閉装置が、必要時にのみ台間貯留部からの遊技球の下部搬送路への排出を可能としている。
【０００９】
つまり、遊技球を貯留する台間貯留部が相互に隣り合った遊技機間に配置されているものの、下部開閉装置の存在によって、この台間貯留部からの必要時にのみの下部搬送路への遊技球の排出が可能となる。このことから、遊技機に遊技球を多数補給しなければならない時や、台間貯留部内の遊技球が多くなり過ぎた時等の必要時に、台間貯留部から下部搬送路に遊技球が確実に送り出されるようになる。これに伴って、遊技機への遊技球の確実な供給が可能ともなる。
【００１０】
以上より、本請求項に係る遊技機島によれば、遊技球を貯留する台間貯留部を遊技機間に配置するだけでなく、この台間貯留部からの必要時における遊技機への遊技球の確実な供給が可能になる。また、必要時において迅速に台間貯留部から遊技球が遊技機側に送り出されるので、必要最低限の球数で遊技機島内において必要な数量の遊技球を確保できるようにもなる。
【００１１】
さらに、本請求項に係る遊技機島によれば、遊技機間に配置される台間貯留部に遊技球が貯留されるので、遊技球を貯留するタンク等の貯留部を遊技機島の上下部分や側部に配置する必要がなくなり、これに伴い、遊技機島からの不必要な突出部分が無くなって遊技機島が簡易な構造となるだけでなく、メンテナンスや修理の際の作業性が高くなる。
【００１２】
請求項２に係る遊技機島の作用を以下に説明する。
本請求項に係る遊技機島は請求項１と同一の作用を奏する。但し、本請求項では、下部開閉装置が、台間貯留部と下部搬送路との間の遊技球が通過する通路を開閉する下側開閉部材及び、この下側開閉部材を開閉動作する下部アクチュエータを有するという構成を有している。
【００１３】
つまり、本請求項によれば、遊技球が通過する通路を開閉する下側開閉部材及びこの下側開閉部材を開閉動作する下部アクチュエータにより下部開閉装置が構成されている。これに伴い、遊技機内の遊技球の数量を検出するセンサ等により、遊技機内の遊技球が減少していることが判明した場合、開放状態とする信号や電流をコントローラ等から下部アクチュエータに送り出すことで、下側開閉部材が簡易に開閉動されるようになる。
【００１４】
請求項３に係る遊技機島の作用を以下に説明する。
本請求項に係る遊技機島は請求項１及び請求項２と同一の作用を奏する。但し、本請求項では、下部搬送路が遊技機及び台間貯留部の下部側に配置されるという構成を有している。
【００１５】
つまり、本請求項によれば、下部搬送路が遊技機及び台間貯留部の下部側に配置されているため、相互に隣り合った遊技機間に台間貯留部が配置されていても、この台間貯留部が下部搬送路の邪魔となることもなく、一つの遊技機島内で独立的に下部搬送路等によって遊技球を循環させることができる。これに伴い、他の遊技機島との間で遊技球を給排する必要がなくなることから、他の遊技機島との間で遊技球を供給および補給するための設備が不要となり、遊技機島の製造コストを削減可能となる。
【００１６】
請求項４に係る遊技機島は、遊技球が補給及び排出される複数の遊技機が列状に並んで配置された遊技機列を備える遊技機島であって、
相互に隣り合った遊技機間に配置され且つ、遊技球を貯留する少なくとも一つの台間貯留部と、
台間貯留部の上部に配置され且つ、遊技球を搬送して遊技機及び台間貯留部に補給し得る上部搬送路と、
上部搬送路と台間貯留部との間に配置され且つ、上部搬送路から遊技球を台間貯留部に送り込む導入管と、
上部搬送路と導入管との間に配置され且つ、必要時に上部搬送路からの遊技球の台間貯留部への補給を可能とする上部開閉装置と、
を有し、
複数の遊技機を並べて配列した遊技機列を、遊技機の裏面側が相互に対向するよう２列に配置し、
２列の遊技機列間に跨るように台間貯留部が配置されている。
【００１７】
請求項４に係る遊技機島の作用を以下に説明する。
本請求項に係る遊技機島は、遊技球が補給及び排出される複数の遊技機が列状に並んで配置された遊技機列を備えていて、相互に隣り合った遊技機間に遊技球を貯留する少なくとも一つの台間貯留部が配置されている。
【００１８】
また、遊技球を搬送して遊技機及び台間貯留部に補給し得る上部搬送路が、台間貯留部の上部に配置され、上部搬送路から遊技球を台間貯留部に送り込む導入管がこれら上部搬送路と台間貯留部との間に配置されている。但し、上部搬送路と導入管との間に配置された上部開閉装置が、必要時にのみ上部搬送路からの遊技球の台間貯留部への補給を可能としている。
【００１９】
つまり、遊技球を貯留する台間貯留部が相互に隣り合った遊技機間に配置されているものの、上部開閉装置の存在によって、上部搬送路から必要時にのみの台間貯留部への遊技球の補給が可能となる。このことから、遊技機から遊技球が多数排出された時や、台間貯留部内の遊技球が少なくなり過ぎた時等の必要時には、上部搬送路から台間貯留部へ遊技球が補給されるようになる。これに伴って、遊技機島内で一時的に余剰となった遊技球の貯留が可能ともなる。
【００２０】
以上より、本請求項に係る遊技機島によれば、遊技球を貯留する台間貯留部を遊技機間に配置するだけでなく、この台間貯留部への必要時における遊技球の確実な貯留が可能になる。また、必要時において迅速に台間貯留部へ遊技球が送り込まれるので、必要最低限の球数で遊技機島内において必要な数量の遊技球を確保できるようにもなる。
【００２１】
さらに、本請求項に係る遊技機島によれば、遊技機間に配置される台間貯留部に遊技球が貯留されるので、請求項１と同様に遊技機島からの不必要な突出部分が無くなり、遊技機島が簡易な構造となるだけでなく、メンテナンスや修理の際の作業性が高くなる。
【００２２】
請求項５に係る遊技機島の作用を以下に説明する。
本請求項に係る遊技機島は請求項４と同一の作用を奏する。但し、本請求項では、上部開閉装置が、上部搬送路と台間貯留部との間の遊技球が通過する通路を開閉する上側開閉部材及び、この上側開閉部材を開閉動作する上部アクチュエータを有するという構成を有している。
【００２３】
つまり、本請求項によれば、遊技球が通過する通路を開閉する上側開閉部材及びこの上側開閉部材を開閉動作する上部アクチュエータにより上部開閉装置が構成されている。これに伴い、遊技機から排出される遊技球の数量を検出するセンサ等により、遊技機内から遊技球が多数排出していることが判明した場合、開放状態とする信号や電流をコントローラ等から上部アクチュエータに送り出すことで、上側開閉部材が簡易に開閉動されるようになる。
【００２４】
請求項６に係る遊技機島の作用を以下に説明する。
本請求項に係る遊技機島は請求項４及び請求項５と同一の作用を奏する。但し、本請求項では、上部搬送路が遊技機及び台間貯留部の上部側に配置されるという構成を有している。
【００２５】
つまり、本請求項によれば、上部搬送路が遊技機及び台間貯留部の上部側に配置されているため、相互に隣り合った遊技機間に台間貯留部が配置されていても、この台間貯留部が上部搬送路の邪魔となることもなく、一つの遊技機島内で独立的に上部搬送路等によって遊技球を循環させることができる。これに伴い、他の遊技機島との間で遊技球を給排する必要がなくなることから、他の遊技機島との間で遊技球を供給および補給するための設備が不要となり、遊技機島の製造コストを削減可能となる。
【発明の効果】
【００２６】
以上説明したように本発明の上記構成によれば、遊技球を貯留する台間貯留部を遊技機間に配置するだけでなく、この台間貯留部からの遊技機への遊技球の確実な供給をし得ると共に、この台間貯留部への遊技球の確実な貯留をし得る遊技機島を提供できるという優れた効果を有する。
【発明を実施するための最良の形態】
【００２７】
次に、本発明に係る遊技機島の第１の実施の形態を図１〜図１４に示し、これらの図に基づき本実施の形態を説明する。
図１〜図４に示すように、本実施の形態に係る遊技機島１は、複数のパチンコ機等の遊技機１０を並べて配列した遊技機列１１を、例えば遊技機１０の裏面側が相互に対向するよう２列に配置したものである。
【００２８】
同一遊技機列１１内における相互に隣り合った遊技機１０間の内の一つおきの箇所には、複数の遊技球Ｐ（パチンコ玉）を貯留し得る台間貯留部２０が挟まれて配置されており、同一遊技機列１１内における相互に隣り合った２つの遊技機１０間の内の他の箇所には、貨幣やプリペイドカードなどの投入に反応して遊技球Ｐを遊技機１０の正面に排出する遊技球貸出機１５が挟まれて配置されている。但し、この台間貯留部２０は２列の遊技機列１１の両端部分にも配置されているだけでなく、各台間貯留部２０は２列の遊技機列１１に跨って位置する構造ともされている。また、遊技機島１の一端側には、島端装置１２が配置されており、この島端装置１２内に遊技球Ｐを上昇する為のリフト装置４０が設置されている。
【００２９】
図４に示すように、遊技機１０の裏面側が相互に対向して配置された２列の遊技機列１１間には隙間が設けられており、この隙間における遊技機１０および台間貯留部２０の下部側には、金属製の凹状部材から形成されたサポート部材である回収樋６２が、遊技機列１１と平行を成すように配置されている。
【００３０】
この回収樋６２の図２０に示す中央部分には、２列の遊技機列１１に沿って伸びる溝を有するものの、全体的に底面を平らに形成された凹部６２ａが設けられており、この凹部６２ａと回収樋６２の底面とを挟む形によって合成ゴム製で輪状の搬送ベルトである下部搬送路６０が配置されることにより、下部搬送路６０を支持するように回収樋６２が下部搬送路６０の裏面側に配置されている。
【００３１】
そして、回収樋６２の底面の下部に配置されたローラ６３が、この底面とローラ６３との間に位置する部分の下部搬送路６０を回転しつつ案内している。また、この回収樋６２の両端部は垂直に上側に伸びており、その先端部分である連結部６２ｂがそれぞれ外側に屈曲されつつ二股に分かれるように形成されている。
【００３２】
つまり、この下部搬送路６０は、遊技機島１を設置した床面Ｇと略平行を成すように配設されており、島端装置１２内に設けられた駆動源であるモーター８３によって回転するように駆動されることによって、下部搬送路６０上に存在する遊技球Ｐがリフト装置４０に向かって移動するようになっている。
【００３３】
図４に示すように、台間貯留部２０の下側には、下部搬送路６０と隣り合うようにして一対の下部ユニット固定具６４が、下部搬送路６０の延在方向と平行を成すように配置されている。一対の下部ユニット固定具６４は金属製の中空の角筒であり、その中にはウレタンスポンジなどの吸音材が詰め込まれている。
【００３４】
これらの下部ユニット固定具６４の上部には、台間貯留部２０の長手方向中央側に向かって延出されるように形成された一対の案内部材である樋支持具６６の基端部に設けられた鉤状部６６ａが、それぞれ取り付けられている。そして、これら一対の樋支持具６６の先端部は一段低く形成されており、回収樋６２の２つの幅方向両側部分とされる連結部６２ｂにこれら一対の樋支持具６６の先端部がそれぞれ挟み込まれて嵌合されることで、これら回収樋６２と一対の樋支持具６６とが相互に固定されている。
【００３５】
従って、一対の樋支持具６６が下部搬送路６０の両側にそれぞれ配置されることで、遊技球Ｐを下部搬送路６０上に案内するようになる。この際、一対の樋支持具６６は、下部搬送路６０に向かってそれぞれ低くなる形に傾斜していることで、樋支持具６６上に落下した遊技球Ｐは、下部搬送路６０に向かって確実に転がるようになっており、また、音の発生を抑制する為のビニール製等のシート材である防音材６７が、これら一対の樋支持具６６の表面をそれぞれ覆っている。
【００３６】
この一方、前述のリフト装置４０は、下部搬送路６０の端部と対向して配置されており、下部搬送路６０によってリフト装置４０に向かって移動してくる遊技球Ｐを島端装置１２内に設けられた回収貯留部３９に一旦貯留し、この回収貯留部３９からリフト装置４０の受取部へ遊技球Ｐが導入可能となっている。そして、遊技球Ｐを島端装置１２内のリフト装置４０によって揚送するようになっているが、この揚送に際して、島端装置１２内のリフト装置４０により遊技球Ｐを上昇させながら、遊技球Ｐを研磨するようにしてもよい。
【００３７】
リフト装置４０によって島端装置１２の上部側に揚送した遊技球Ｐは、遊技機島１の上部に直列的に配置された複数の上部搬送路７０の内の、リフト装置４０と接続された一つの上部搬送路７０に供給されるようになっている。ここで、各上部搬送路７０は、リフト装置４０と接続された一端側部分から遊技機島１内における上部搬送路７０の他端側部分に向かって下側にそれぞれ傾斜している。
【００３８】
隣接し合う上部搬送路７０の間には、上流側の上部搬送路７０における他端側部分から下流側の上部搬送路７０における一端側部分に遊技球Ｐを揚送する為の揚送装置７２がそれぞれ設けられている。
【００３９】
図１３は揚送装置７２の構造を示しており、この揚送装置７２は、遊技機島１に対して独立に着脱可能な略箱型のユニットとして構成されており、内部には、遊技球Ｐを無端の揚送ベルト７４を駆動プーリ７６と従動プーリ７８とに架け渡すようにして備えている。駆動プーリ７６と従動プーリ７８とテンションプーリ８０とは、三角形に配置されており、従動プーリ７８は一方の上部搬送路７０における下側の部分近傍に、駆動プーリ７６は他方の上部搬送路７０における上側の部分近傍に、それぞれ位置するようになっている。そして、揚送ベルト７４はテンションプーリ８０によって一定のテンションを保たれるようになっている。
【００４０】
駆動プーリ７６は、駆動ベルト８２を介してモーター８３と接続されており、モーター８３によって回転駆動が可能となっている。揚送ベルト７４は、駆動プーリ７６がモーター８３によって回転駆動されることによって、矢印Ｘに示される方向に周回するようになっている。
【００４１】
揚送ベルト７４の外周面を形成する側には、遊技球Ｐを積載可能な突起７４ａが間欠的に複数設けられている。揚送ベルト７４における従動プーリ７８側の部分に位置する突起７４ａは、一方の上部搬送路７０における下側の部分と接続されるようになっており、一方の上部搬送路７０から転がり落ちてくる遊技球Ｐを積載するようになっている。
【００４２】
また、揚送ベルト７４における駆動プーリ７６側の部分に位置する突起７４ａは、他方の上部搬送路７０における上側の部分において起立して位置するようになっており、突起７４ａに積載された遊技球Ｐは、他方の上部搬送路７０における上側の部分に向かって落下するようになっている。つまり、一方の上部搬送路７０から転がり落ちてきた遊技球Ｐは、突起７４ａに積載され、揚送ベルト７４が周回することによって揚送され、他方の上部搬送路７０へと供給されることとなる。
【００４３】
他方、台間貯留部２０は、その上下端がそれぞれ遊技機１０の上下端にほぼ対応した大きさとされつつ、２つの遊技機１０間に配置されるような直方体状に形成されている。但し、この台間貯留部２０の上側寄りにおける幅方向の中央部分には、遊技機１０間に沿って台間貯留部２０を貫通する貫通部である凹部２０ａが凹状に窪むように形成されている。
【００４４】
つまり、各台間貯留部２０の周壁は、遊技機１０とそれぞれ隣接する部分の壁面である一対の側壁２４と、２つの遊技機１０間を繋いで遊技機島１の外壁面の一部を形成する部分である一対の端壁２５とから成っているが、これら一対の側壁２４および一対の端壁２５は、防音性に長けた肉厚な合板によりそれぞれ構成されている。但し、台間貯留部２０内のメンテナンス性向上の為に、台間貯留部２０内を目視できる覗き穴を一方の側壁２４の一部に形成し、透明なアクリル板等の覗き穴材をこの覗き穴内に取り付けるようにしても良い。もし、一方の側壁２４側に障害物（例えば、遊技球貸出機や遊技機から出力されたスタート回数や大当たり回数を表示する表示部を備える情報表示装置）が配置されている場合には、他方の側壁２４の一部に目視できる覗き穴を形成し、上記と同様の覗き穴材をこの覗き穴内に取り付けることにしても良い。すなわち、障害物があっても台間貯留部２０内を目視できる程度の覗き穴を形成しておくようにする。さらに、透明なアクリル板により一方の側壁２４を構成してこの側壁２４を可視化しても良い。また、各台間貯留部２０の凹部２０ａは、相互に同一の位置に設けられていることから、遊技機島１の長手方向とされる遊技機列１１の配列方向に沿って存在する連続した空間が通路２１とされている。
【００４５】
この一方、２列の遊技機列１１間とされる各台間貯留部２０の凹部２０ａを通過する位置には、前述の遊技球Ｐを貸し出す遊技球貸出機１５から投入された千円札や一万円札等の紙幣である貨幣を搬送する為の貨幣搬送部３６が、存在している。この結果として、この貨幣搬送部３６が各台間貯留部２０の凹部２０ａ間を繋ぐように通路２１内に配置されることになる。そして、この貨幣搬送部３６の終端は、リフト装置４０と同様に遊技機島１の一端側に配置された島端装置１２内に位置していて、この島端装置１２内に設置されている図示しない金庫内に貨幣がこの貨幣搬送部３６によって送り込まれるようになっている。
【００４６】
図５及び図６に示すように台間貯留部２０内の通路２１を挟んだ両側部分には、遊技球Ｐが内部を通過可能な管状の管構成部材２２ａが、台間貯留部２０の最上部から下部側に向かって並んで直列的にそれぞれ遊技球Ｐが通り抜ける間隔を持って配置されていて、これら２列の管構成部材２２ａが２列の誘導管２２を構成することになる。つまり、一方の側壁２４には固定板３２が固定されていて、台間貯留部２０内に向かって突き出すように固定部材２３がこの固定板３２に対してネジ止めされるのに伴い、外側から挟まれるようにしてこれらの管構成部材２２ａは、この固定部材２３によって一方の側壁２４に確実に固定されている。
【００４７】
他方、図５に示すように、台間貯留部２０の周壁の一部である一対の端壁２５の外側は、金属製の柱状の部材である一対の支持部材１６０にネジ止めされて、台間貯留部２０がこれら一対の支持部材１６０が固定されており、これらの支持部材１６０は、遊技機島１が設置される床面Ｇから立ち上がるようにして設置されている。これらの支持部材１６０は、床面Ｇから遊技機１０の上側まで延在しており、台間貯留部２０の最上部から上側に位置する部分には、一対の上部ユニット固定具１６２によって、各支持部材１６０を連結固定されている。
【００４８】
図５に示すように、一対の支持部材１６０の上下方向やや下側寄りであって、且つ下部ユニット固定具６４の直下である箇所には、これら一対の支持部材１６０間に亘るように金属製の支え金具１６４が、一対の支持部材１６０に対してリベットで固定されることで、設置されている。この支え金具１６４は、その長手方向中央における上側が窪むようにして形成されており、下部搬送路６０はこの窪みに嵌め込まれるようにして配設されている。
【００４９】
これら一対の支持部材１６０における支え金具１６４の上側部分には、台間貯留部２０を下側から支持すると共に、断面がＬ字状に形成された一対の支持金具１６６がそれぞれリベットによって固定されている。また、図５に示すように、一対の支持部材１６０における支持金具１６６と支え金具１６４との間の部分には、下部搬送路６０を挟むように前述の一対の下部ユニット固定具６４がそれぞれ位置している。
【００５０】
図５および図８に示すように、一対の支持部材１６０の下側寄り部分には、断面が凹状に形成された金属製のレベル調整金具１７０が、一対の支持部材１６０間に亘るようにして設置されており、このレベル調整金具１７０は、一対の支持部材１６０に対してそれぞれリベットで固定されている。このレベル調整金具１７０の下面におけるレベル調整金具１７０の長手方向両側寄りの部分には、支持部材１６０を床面Ｇに設置した際に水平レベルを調整する為のレベル調整用ボルト１７１が、支持部材１６０の延在方向に沿ってそれぞれねじ込まれている。
【００５１】
図５および図８に示すように、遊技機島１が設置される床面Ｇには、上面が開放された箱状に形成された金属板から成る固定ベース１７２が設置されていて、一対の支持部材１６０の下部は、それぞれが固定ベース１７２の内側に位置するようになっている。さらに、一対の支持部材１６０の下部は、略Ｌ字状に形成された一対のＬ字金具１７４によって固定ベース１７２の内側に挟み込まれるようになっており、固定ベース１７２、一対の支持部材１６０、および一対のＬ字金具１７４は、ボルト１７６およびナット１７７によって挟み込まれるようにして固定されている。そして、一対の支持部材１６０は、固定ベース１７２および一対のＬ字金具１７４に対して上下をずらして固定可能となっている。
【００５２】
固定ベース１７２および一対のＬ字金具１７４は、床面Ｇに埋め込まれるようにして配設されたアンカーボルト１７８を通されることによって床面Ｇに対して固定されている。そして、支持部材１６０によって支持される遊技機島１は、床面Ｇに設置される際に、まずレベル調整用ボルト１７１によって水平レベルを調整し、そして、固定ベース１７２およびＬ字金具１７４に挟み込まれるようにしてボルト１７６およびナット１７７で固定されるようになっている。
【００５３】
この一方、上部搬送路７０における台間貯留部２０の上側に位置する部分の両脇には、遊技機１０に遊技球Ｐの補給をするための補給案内材１０ｂや遊技球貸出機１５に遊技球Ｐの補給をするための図示しない案内材の他に、図９に示すように、必要時において上部搬送路７０からの台間貯留部２０への遊技球Ｐの補給をするための上部開閉装置１００が、それぞれ配置されている。これら一対の上部開閉装置１００は、上部搬送路７０から遊技球Ｐを受け入れるための受け皿部１０２と台間貯留部２０側へ遊技球Ｐを排出するための球排出部１０４とを有している。
【００５４】
そして、上部搬送路７０から上部開閉装置１００を介して遊技球Ｐを台間貯留部２０に送り込む為の導入管１８の一端側が、この球排出部１０４に接続されており、この導入管１８の他端側が管構成部材２２ａの内の最上部に位置する管構成部材２２ａの上端側に接続されることで、導入管１８から遊技球Ｐを台間貯留部２０内に供給可能となっている。
【００５５】
また、図９及び図１０に示すようにこれら一対の上部開閉装置１００の受け皿部１０２と球排出部１０４との間の部分には、遊技球Ｐが通過する案内路１０６が、受け皿部１０２側から球排出部１０４側に向かって低くなるようにそれぞれ形成されており、この上部開閉装置１００の外枠を形成する合成樹脂製の枠材１０８内には、Ｌ字形に形成された上側開閉部材１１０が配置されるだけでなく、上部ソレノイド１１２が設置されている。さらに、この上側開閉部材１１０の中程に支持軸１１０Ａが形成されており、この支持軸１１０Ａが枠材１０８に対して回転可能に支持されることで、上側開閉部材１１０が回動可能になっている。尚、この案内路１０６の上側には、遊技球Ｐを一列に整列させるための整列材１１８が回転可能に枠材１０８に支持されている。
【００５６】
そして、上側開閉部材１１０の回転動に伴い上側開閉部材１１０の一端が案内路１０６に突出する構造とされていて、この上部ソレノイド１１２と上側開閉部材１１０の他端との間に配置された伝達材１１４を介して、上部ソレノイド１１２で発生する動力が上側開閉部材１１０に伝達されて、上側開閉部材１１０が支持軸１１０Ａ廻りに回動されるようになっている。この為、本実施の形態では、上部ソレノイド１１２が上側開閉部材１１０を開閉動作する上部アクチュエータとされている。
【００５７】
但し、枠材１０８内に配置されたコイルバネ１１６により上側開閉部材１１０は常時付勢されていて、上部ソレノイド１１２で動力が発生していない時には、図９に示すように上側開閉部材１１０の一端が案内路１０６に突出して、案内路１０６上で遊技球Ｐをせき止めることで、上部搬送路７０からの遊技球Ｐの台間貯留部２０への送り込みを停止するようになっている。
【００５８】
以上より、上部開閉装置１００の上側開閉部材１１０が、上部搬送路７０と台間貯留部２０との間の遊技球Ｐが通過する通路を開閉することになり、図１０に示す上側開閉部材１１０の一端が案内路１０６から引き込まれるような上側開閉部材１１０の開放時において、上部搬送路７０と台間貯留部２０との間に配置された導入管１８が、上部搬送路７０から遊技球Ｐを台間貯留部２０に送り込むようになっている。
【００５９】
図５から図７に示すように、各管構成部材２２ａは、線状に形成した金属材を螺旋状に巻いた蛇腹管であり、管構成部材２２ａの上側の開口部とされる上部開口２２ａと管構成部材２２ａの下側の開口部とされる下部開口２２ｂの二つの開口をそれぞれ有している。上部開口２２ａは下部開口２２ｂよりも口径が広くなっており、管構成部材２２ａのこれらの間の部分の中程がテーパ状に形成されていると共に、テーパ状とされた部分より上部開口２２ａ寄りの部分の金属材が粗巻きとされている。
【００６０】
また、上下に隣接する２つの管構成部材２２ａは、上側の管構成部材２２ａの下部開口２２ｃが下側の管構成部材２２ａの上部開口２２ｂと同軸状になるように、配置されている。なお、上下に隣接する２つの管構成部材２２ａは、互いの下部開口２２ｃと上部開口２２ｂとの間が遊技球Ｐの２〜３個分（具体的には２２ｍｍ〜３３ｍｍ）離間して配置された構造とされており、この離間した部分が遊技球Ｐの放出口２２ｄとされている。
【００６１】
台間貯留部２０内における最も下側に位置する管構成部材２２ａの下側には、一対の端壁２５から台間貯留部２０の中央に向かってそれぞれ下方向に傾いて配置される一対の案内材２７が一対の側壁２４間に亘って存在している。これら一対の案内材２７は肉厚な合板からそれぞれ成っているが、一対の案内材２７の上面側には、布やウレタンスポンジなどのクッション性の高い材料がそれぞれ積層されており、管構成部材２２ａから案内材２７に対して落下してくる遊技球Ｐの衝撃を吸収するようになっている。但し、これら一対の案内材２７の先端間とされる台間貯留部２０の下部側中央には、複数の遊技球Ｐが通過可能とされる案内口２６が存在している。
【００６２】
通路２１の下側とされる一対の誘導管２２間の台間貯留部２０内の部分には、上下方向に沿って延在する仕切板３１が、一対の側壁２４間に亘って配置されている。このように、仕切板３１を２列の誘導管２２の列間に配置することによって、一方の誘導管２２から排出される遊技球Ｐが、他方の誘導管２２から排出される遊技球Ｐと衝突してしまうことを防止でき、その結果、台間貯留部２０内で生じる音を軽減することができる。また、台間貯留部２０の一対の側壁２４間がこれら仕切板３１を介して固定されることによって、台間貯留部２０内の遊技球Ｐの重量により外方に向かって生じる圧力による台間貯留部２０の膨らみを防止している。
【００６３】
一対の案内材２７の直下とされる下方部分には、中央部分が盛り上がって形成され且つ、この盛り上がった中央部分から一対の端壁２５に向かうに連れて下がるように傾斜して形成されている仕切部材２８が、一対の側壁２４間に亘って設置されている。これに伴い、この盛り上がった中央部分とされる台間貯留部２０の幅方向中央に位置する部分が、案内口２６と対向していることになる。但し、この仕切部材２８は端壁２５に接触しておらず、端壁２５と仕切部材２８の間には遊技球Ｐが通過可能な隙間が形成されている。
【００６４】
仕切部材２８の下側には、両側の端壁２５と仕切部材２８との間にそれぞれ形成された隙間から落下する遊技球Ｐを受ける為の底面材２９が設けられている。この底面材２９は漏斗のような形状の断面を成しており、下側部分の中央には下部搬送路６０に向かって開口する出口３０が形成されている。
【００６５】
この開放口とされる出口３０の下方となる直下であって台間貯留部２０の下側部分には、必要時において台間貯留部２０からの遊技球Ｐの排出をするための下部開閉装置１３０が配置されており、この下部開閉装置１３０の直下部分には、遊技機１０から排出案内材１０ａを介して排出された遊技球Ｐや台間貯留部２０から排出された遊技球Ｐを搬送し得る下部搬送路６０が位置している。
【００６６】
また、図１１及び図１２に示すように、この下部開閉装置１３０は、台間貯留部２０から遊技球Ｐを受け入れるための受け部１３２及び、下部搬送路６０側へ遊技球Ｐを排出するための球排出部１３４を有していて、この受け部１３２が球排出部１３４側に向かって低くなるように形成されることで、下部開閉装置１３０内で遊技球Ｐが球排出部１３４側に移動するようになっている。
【００６７】
さらに、この下部開閉装置１３０の外枠を形成する合成樹脂製の枠材１３６の下部には、細長く形成された下側開閉部材１３８が配置されるだけでなく、この枠材１３６内には、下部ソレノイド１４０が設置されている。また、この下側開閉部材１３８の中程の下側に支持軸１３８Ａが設けられており、この支持軸１３８Ａが枠材１３６に対してＵ字材１３９を介して回転可能に支持されることで、下側開閉部材１３８が回動可能になっている。
【００６８】
そして、下側開閉部材１３８の回転動に伴って、この下側開閉部材１３８の一端が受け部１３２の終端部分に突出する構造とされていて、下部ソレノイド１４０と下側開閉部材１３８の他端との間が連結されていることで、下部ソレノイド１４０で発生する動力が下側開閉部材１３８に伝達されて、下側開閉部材１３８が支持軸１３８Ａ廻りに回動されるようになっている。
【００６９】
この為、本実施の形態では、下部ソレノイド１４０が下側開閉部材１３８を開閉動作する下部アクチュエータとされている。但し、枠材１３６内に配置されたコイルバネ１４２により下側開閉部材１３８の他端は常時下側に付勢されていて、下部ソレノイド１４０で動力が発生していない時には、図１１に示すように下側開閉部材１３８の一端が受け部１３２に突出して、受け部１３２上で遊技球Ｐをせき止めることで、台間貯留部２０からの遊技球Ｐの下部搬送路６０への排出を停止するようになっている。
【００７０】
以上より、下部開閉装置１３０の下側開閉部材１３８が、台間貯留部２０と下部搬送路６０との間の遊技球Ｐが通過する通路を開閉することになり、図１２に示す下側開閉部材１３８の一端が受け部１３２から引き込まれるような下部開閉装置１３０の開放時において、球排出部１３４から遊技球Ｐが排出されることになる。これに伴って、下部開閉装置１３０を介しつつ、台間貯留部２０から遊技球Ｐが自然落下により下部搬送路６０上に供給されるようになっている。
【００７１】
他方、台間貯留部２０に遊技球Ｐを補給したりこの台間貯留部２０から遊技球Ｐを排出したりする為の、上部開閉装置１００の上部ソレノイド１１２及び下部開閉装置１３０の下部ソレノイド１４０は、台間貯留部２０の貫通部である凹部２０ａを形成する壁部上に配置される制御用の回路基板１５０に、図示しない配線を介してそれぞれ繋がっている。
【００７２】
従って、必要時には、この回路基板１５０から送られる電流によりこれら上部ソレノイド１１２及び下部ソレノイド１４０が動作することで、上部開閉装置１００及び下部開閉装置１３０が開閉されて、台間貯留部２０に対して遊技球Ｐが補給されたり、台間貯留部２０から遊技球Ｐが排出されたりするようになる。そして、この回路基板１５０から遊技球貸出機１５にも必要な電気信号や電力が送り込まれるようになっている。
【００７３】
次に、本実施の形態に係る遊技機島１の作用を説明する。
本実施の形態に係る遊技機島１は、遊技球Ｐが補給及び排出される複数の遊技機１０が列状に並んで配置された遊技機列１１を２列備え、これら２列の遊技機列１１の背面側が相互に対向して位置している。さらに、２列の遊技機列１１間を跨る形で、遊技球Ｐを貯留する台間貯留部２０が、連続して配置される遊技機１０間における一つおきの箇所及び遊技機列１１の両端箇所に配置されている。
【００７４】
また、遊技球Ｐを搬送して遊技機１０及び台間貯留部２０に補給し得る上部搬送路７０が、遊技機１０及び台間貯留部２０の上部に配置され、上部搬送路７０から遊技球Ｐを台間貯留部２０に送り込む導入管１８がこれら上部搬送路７０と台間貯留部２０との間に配置されている。但し、上部搬送路７０と導入管１８との間に配置された上部開閉装置１００が、必要時にのみ上部搬送路７０からの遊技球Ｐの台間貯留部２０への補給を可能としている。
【００７５】
つまり、遊技球Ｐを貯留する台間貯留部２０が相互に隣り合った遊技機１０間や遊技機列１１の両端箇所に配置されているものの、上部開閉装置１００の存在によって、上部搬送路７０から必要時にのみの台間貯留部２０への遊技球Ｐの補給が可能となる。このことから、遊技機１０から遊技球Ｐが多数排出された時や、台間貯留部２０内の遊技球Ｐが少なくなり過ぎた時等の必要時には、上部搬送路７０から台間貯留部２０へ遊技球Ｐが補給されるようになる。これに伴って、遊技機島１内で一時的に余剰となった遊技球Ｐの貯留が可能ともなる。
【００７６】
さらに、遊技球Ｐを台間貯留部２０外に排出する出口３０を有した底面材２９が、台間貯留部２０の底面として形成されていて、遊技機１０及び台間貯留部２０から排出された遊技球Ｐを搬送可能な下部搬送路６０が、遊技機１０及び台間貯留部２０の下部側に配置されるのに伴い、この出口３０の下方に下部搬送路６０が配置されている。但し、台間貯留部２０と下部搬送路６０との間に配置された下部開閉装置１３０が、必要時にのみ台間貯留部２０からの遊技球Ｐの下部搬送路６０への排出を可能としている。
【００７７】
つまり、遊技球Ｐを貯留する台間貯留部２０が相互に隣り合った遊技機１０間に配置されているものの、下部開閉装置１３０の存在によって、この台間貯留部２０からの必要時にのみの下部搬送路６０への遊技球Ｐの排出が可能となる。このことから、遊技機１０に遊技球Ｐを多数補給しなければならない時や、台間貯留部２０内の遊技球Ｐが多くなり過ぎた時等の必要時に、台間貯留部２０から下部搬送路６０に遊技球Ｐが確実に送り出されるようになる。これに伴って、遊技機１０への遊技球Ｐの確実な供給が可能ともなる。
【００７８】
以上より、本実施の形態に係る遊技機島１によれば、遊技球Ｐを貯留する台間貯留部２０を遊技機１０間や遊技機列１１の両端箇所に配置するだけでなく、この台間貯留部２０への必要時における遊技球Ｐの確実な貯留が可能になると共に、この台間貯留部２０からの必要時における遊技機１０への遊技球Ｐの確実な供給が可能になる。また、必要時において迅速に台間貯留部２０へ遊技球Ｐが送り込まれたり、台間貯留部２０から遊技球Ｐが遊技機１０側に送り出されたりするので、必要最低限の球数で遊技機島１内において必要な数量の遊技球Ｐを確保できるようにもなる。
【００７９】
さらに、本実施の形態に係る遊技機島１によれば、遊技機１０間や遊技機列１１の両端箇所に配置される台間貯留部２０に遊技球Ｐが貯留されるので、遊技球Ｐを貯留するタンク等の貯留部を遊技機島１の上下部分や側部に配置する必要がなくなり、これに伴い、遊技機島１からの不必要な突出部分が無くなって遊技機島１が簡易な構造となるだけでなく、メンテナンスや修理の際の作業性が高くなる。
【００８０】
他方、本実施の形態では、上部開閉装置１００が、上部搬送路７０と台間貯留部２０との間の遊技球Ｐが通過する通路を開閉する上側開閉部材１１０及び、この上側開閉部材１１０を開閉動作する上部ソレノイド１１２を有する他、下部開閉装置１３０が、台間貯留部２０と下部搬送路６０との間の遊技球Ｐが通過する通路を開閉する下側開閉部材１３８及び、この下側開閉部材１３８を開閉動作する下部ソレノイド１４０を有している。
【００８１】
つまり、本実施の形態によれば、遊技球Ｐが通過する通路を開閉する上側開閉部材１１０及びこの上側開閉部材１１０を開閉動作する上部ソレノイド１１２により上部開閉装置１００が構成されており、また、遊技球Ｐが通過する通路を開閉する下側開閉部材１３８及びこの下側開閉部材１３８を開閉動作する下部ソレノイド１４０により下部開閉装置１３０が構成されている。
【００８２】
これに伴い、遊技機１０から排出される遊技球Ｐの数量を検出するセンサ等により、遊技機１０内から遊技球Ｐが多数排出していることが判明した場合、開放状態とする信号や電流をコントローラ等から上部ソレノイド１１２に送り出すことで、上側開閉部材１１０が簡易に開閉動されるようになる。さらに、遊技機１０内の遊技球Ｐの数量を検出するセンサ等により、遊技機１０内の遊技球Ｐが減少していることが判明した場合、開放状態とする信号や電流をコントローラ等から下部ソレノイド１４０に送り出すことで、下側開閉部材１３８が簡易に開閉動されるようになる。
【００８３】
さらに、本実施の形態によれば、上部搬送路７０が遊技機１０及び台間貯留部２０の上部側に配置されていると共に、下部搬送路６０が遊技機１０及び台間貯留部２０の下部側に配置されている。このため、相互に隣り合った遊技機１０間に台間貯留部２０が配置されていても、この台間貯留部２０が上部搬送路７０や下部搬送路６０の邪魔となることもなく、一つの遊技機島１内で独立的に上部搬送路７０や下部搬送路６０等によって遊技球Ｐを循環させることができる。これに伴い、他の遊技機島１との間で遊技球Ｐを給排する必要がなくなることから、他の遊技機島１との間で遊技球Ｐを供給および補給するための設備が不要となり、遊技機島１の製造コストを削減可能となる。
【００８４】
次に、本発明に係る遊技機島の第２の実施の形態を図１５及び図１６に示し、これらの図に基づき本実施の形態を説明する。尚、第１の実施の形態で説明した部材と同一の部材には同一の符号を付して、重複した説明を省略する。
台間貯留部２０内に配置される一対の誘導管２２は、それぞれ１本の管状部材から形成しても良く、例えば図１５及び図１６に示すように、一部分の単位長さあたりの巻き数を減らして粗巻きにすることによって遊技球Ｐの放出口２２ｄを複数形成しても良い。この場合、巻き数を減らす部分は、間欠的に形成することが好ましい。ただし、遊技球Ｐの落下に伴う衝突音を軽減するため、誘導管２２の下部側においては、巻き数の少ない部分を長めに確保することが好ましい。
【００８５】
このように、一部分の単位長さあたりの巻き数を減らして粗巻きにすることで遊技球Ｐの出口を形成することによって、誘導管２２を一本の金属材から形成することができるため、少ない部品点数で誘導管２２を構成することが可能となる。
【００８６】
また、図１５及び図１６に示すように、一対の支持部材１６０の間における、支持金具１６６とレベル調整金具１７１との間には、Ｌ字状金具の第１補強部品１８０と、平たい棒状の金具の両端近傍をこの金具の中央側に向かって折り曲げた形を成す第２補強部品１８１と、をそれぞれ４つずつ設置することで耐震補強をしても良い。この場合、一対の支持部材１６０と、支持金具１６６と、レベル調整金具１７１とによって囲まれる四角形状の空間の四隅に、第１補強部品１８０のそれぞれの角が位置するように配置する。続いて、第２補強部品１８１の両端近傍が第１補強部品１８０の両側端に位置するように、第２補強部品１８１を第１補強部品１８０に重ねると共に、第１補強部品１８０と第２補強部品１８１の両端を、それぞれボルト１８３によって一対の支持部材１６０、支持金具１６６、またはレベル調整金具１７１に対して固定する。
【００８７】
次に、本発明に係る遊技機島の第３の実施の形態を図１７及び図１８に示し、これらの図に基づき本実施の形態を説明する。尚、第１の実施の形態で説明した部材と同一の部材には同一の符号を付して、重複した説明を省略する。
図１７及び図１８に示すように、誘導管２２を連続して形成する場合、誘導管２２をＵ字状に形成しても良い。この場合、両上端に位置する上部開口２２ｂが導入管１８に接続され、誘導管２２における案内口２６の直上に位置する最下部を粗巻きとして放出口２２ｄを形成することが好ましい。このように、誘導管２２における案内口２６の直上に位置する最下部に放出口２２ｄを形成することによって、一部の遊技球Ｐが案内材２７に接触せず案内口２６に直截到達するため、案内材２７と遊技球Ｐとの衝突音を軽減することができる。
【００８８】
次に、本発明に係る遊技機島の第４の実施の形態を図１９及び図２０に示し、これらの図に基づき本実施の形態を説明する。尚、第１の実施の形態で説明した部材と同一の部材には同一の符号を付して、重複した説明を省略する。
図１９及び図２０に示すように、誘導管２２は、内面が面一に連なる角形の管状部材に間欠的に遊技球Ｐの放出口２２ｄを設けたものを適用することもできる。この場合、誘導管２２が単純な構造となるため、誘導管２２の形成が容易となる。
【００８９】
次に、本発明に係る遊技機島の第５の実施の形態を図２１に示し、この図に基づき本実施の形態を説明する。尚、第１の実施の形態で説明した部材と同一の部材には同一の符号を付して、重複した説明を省略する。
図２１に示すように、台間貯留部２０内に一対の案内材２７を複数箇所設けることで誘導管２２の代わりとすることも可能である。図２１に示される例の場合、台間貯留部２０の中央から一対の端壁２５に向かってそれぞれ下方向に傾いて配置される一対の案内材２７と、一対の端壁２５から台間貯留部２０の中央に向かってそれぞれ下方向に傾いてそれぞれ配置される一対の案内材２７と、がそれぞれ交互に配置されるようになっている。
【００９０】
台間貯留部２０の内部がこのように構成されていることによって、図２１に示すように、台間貯留部２０内に遊技球Ｐが貯留される際に、遊技球Ｐと案内材２７の下面との間に遊技球Ｐが貯留されない空間が生じて、上方の遊技球Ｐの重量による圧力が下方の遊技球Ｐに必要以上加わらないようになる。これに伴い、更に多量の遊技球Ｐが台間貯留部内２０に貯留された場合であっても、上方の遊技球Ｐの重量による圧力が下方の遊技球Ｐに必要以上加わらないことから、案内材２７上の遊技球Ｐが詰まり難くなり、この結果として、案内口２６に確実に遊技球Ｐを送り込むことができるようになる。
【００９１】
次に、本発明に係る遊技機島の第６の実施の形態を図２２に示し、この図に基づき本実施の形態を説明する。尚、第１の実施の形態で説明した部材と同一の部材には同一の符号を付して、重複した説明を省略する。
図２２に示すように、本実施の形態では、仕切部材２８の上下部分及び底面材２９の上側部分に対応する台間貯留部２０の一方の側壁２４の箇所に、台間貯留部２０内のメンテナンス性向上の為に、台間貯留部２０内を目視できる一対の覗き穴材１９０が周囲の側壁２４に貼付けられることで、設置されている。
【００９２】
さらに、これら一対の覗き穴材１９０はアクリル板等の透明な樹脂による板材で形成することができるが、これら一対の覗き穴材１９０には、左右方向に長く延びるスリット１９２がそれぞれ覗き穴材１９０を貫通するように形成されている。また、これに伴い仕切部材２８を透明な樹脂で製作しても良い。
【００９３】
従って、これら一対の覗き穴材１９０から仕切部材２８及び底面材２９の周囲における遊技球Ｐの流れや遊技球Ｐの詰まりを目視できるだけでなく、遊技球Ｐが詰まった場合には、このスリット１９２から細い棒等を差し込んで、覗き穴材１９０から遊技球Ｐの流れを確認しつつ、これら仕切部材２８や底面材２９の周囲における遊技球Ｐの詰まりを解消することができる。さらに、図示しないものの誘導管２２に対応する側壁２４の部分に、スリット付きの覗き穴材１９０を設けることで、誘導管２２の周辺における遊技球Ｐの詰まりを解消できるようにもなる。
【００９４】
尚、上記実施の形態に係る遊技機島１では、遊技球Ｐが補給及び排出される複数の遊技機１０が並んで配置された遊技機列１１を２列備えていたが、遊技店の壁際に設置されるような遊技機列１１を１列のみ備えたいわゆる片島にも、本実施の形態が適用できることはいうまでもない。但しこの際には、台間貯留部が上記実施の形態の半分程度の大きさとなるものの、上記実施の形態と同様に、台間貯留部と下部搬送路との間に下部開閉装置が配置され、上部搬送路と導入管との間に上部開閉装置が配置される構造とされている。
【図面の簡単な説明】
【００９５】
【図１】本発明の第１の実施の形態に係る遊技機島の正面図であって、遊技機を一部取り外すと共に島端装置のカバーを外した状態を示す図である。
【図２】本発明の第１の実施の形態に係る遊技機島の正面図であって、遊技機を一部取り外すと共に台間貯留部を覆っている化粧板を外した状態を示す図である。
【図３】本発明の第１の実施の形態に係る遊技機島の正面図である。
【図４】本発明の第１の実施の形態に係る遊技機島の図１のＡ−Ａ矢視線断面図である。
【図５】本発明の第１の実施の形態に係る遊技機島の断面図であって、（ａ）は図１のＢ−Ｂ矢視線断面図であり、（ｂ）は（ａ）のＣ−Ｃ矢視線断面図である。
【図６】本発明の第１の実施の形態に係る遊技機島の使用状態を示す断面図である。
【図７】本発明の第１の実施の形態に係る遊技機島に適用される管構成部材の拡大図である。
【図８】本発明の第１の実施の形態に係る遊技機島に適用されるレベル調整金具及び固定ベース周辺の拡大断面図である。
【図９】本発明の第１の実施の形態に適用される上部開閉装置の一部破断した正面図であって、閉鎖状態を示す図である。
【図１０】本発明の第１の実施の形態に適用される上部開閉装置の一部破断した正面図であって、開放状態を示す図である。
【図１１】本発明の第１の実施の形態に適用される下部開閉装置の断面図であって、閉鎖状態を示す図である。
【図１２】本発明の第１の実施の形態に適用される下部開閉装置の断面図であって、開放状態を示す図である。
【図１３】本発明の第１の実施の形態に適用される揚送装置の構造を示す図である。
【図１４】本発明の第１の実施の形態に係る遊技機島の要部拡大断面図である。
【図１５】本発明の第２の実施の形態に係る遊技機島の断面図であって、（ａ）は図１のＢ−Ｂ矢視線に対応する断面図であり、（ｂ）は図５のＣ−Ｃ矢視線に対応する断面図である。
【図１６】図１５（ａ）と同一の断面図であって、使用状態を示す図である。
【図１７】本発明の第３の実施の形態に係る遊技機島の断面図であって、（ａ）は図１のＢ−Ｂ矢視線に対応する断面図であり、（ｂ）は図５のＣ−Ｃ矢視線に対応する断面図である。
【図１８】図１７（ａ）と同一の断面図であって、使用状態を示す図である。
【図１９】本発明の第４の実施の形態に係る遊技機島の断面図であって、（ａ）は図１のＢ−Ｂ矢視線に対応する断面図であり、（ｂ）は図５のＣ−Ｃ矢視線に対応する断面図である。
【図２０】図１９（ａ）と同一の断面図であって、使用状態を示す図である。
【図２１】本発明の第５の実施の形態に係る遊技機島の断面図であって、図１のＢ−Ｂ矢視線に対応する使用状態を示す断面図である。
【図２２】本発明の第６の実施の形態に係る遊技機島に適用される台間貯留部の要部を示す図であって、（ａ）は正面図であり、（ｂ）は側壁を透視した透視図である。
【符号の説明】
【００９６】
１        遊技機島
１０      遊技機
１８      導入管
２０      台間貯留部
２９      底面材
３０      出口（開放口）
６０      下部搬送路
７０      上部搬送路
１００    上部開閉装置
１１０    上側開閉部材
１１２    上部ソレノイド（上部アクチュエータ）
１３０    下部開閉装置
１３８    下側開閉部材
１４０    下部ソレノイド（下部アクチュエータ）
Ｐ        遊技球
【図１】
0005219636.tif 000002
【図２】
0005219636.tif 000003
【図３】
0005219636.tif 000004
【図４】
0005219636.tif 000005
【図５】
0005219636.tif 000006
【図６】
0005219636.tif 000007
【図７】
0005219636.tif 000008
【図８】
0005219636.tif 000009
【図９】
0005219636.tif 000010
【図１０】
0005219636.tif 000011
【図１１】
0005219636.tif 000012
【図１２】
0005219636.tif 000013
【図１３】
0005219636.tif 000014
【図１４】
0005219636.tif 000015
【図１５】
0005219636.tif 000016
【図１６】
0005219636.tif 000017
【図１７】
0005219636.tif 000018
【図１８】
0005219636.tif 000019
【図１９】
0005219636.tif 000020
【図２０】
0005219636.tif 000021
【図２１】
0005219636.tif 000022
【図２２】
0005219636.tif 000023